(57)【要約】      （修正有）【課題】ロール幅辺把持ひねり包装機において、長尺フィルムを切断したフィルム片の切断面の辺を把持してひねるひねり包装機を提供し、長尺方向に延伸された一軸延伸フィルムのひねりによる破損を防止する。【解決手段】ひねり包装機は、被包装物Ｍを整列・区分する区分装置と、長尺フィルムＦ１を供給する給紙装置と、長尺フィルムＦ１をカットするロータリーカッター７と、カットされたフィルム片Ｆ２を被包装物Ｍに添て保持する移送装置と、被包装物Ｍを挟持させる挟持装置と、フィルム片Ｆ２の開放端部を内側に折りたたむ折り込み装置と、フィルム片Ｆ２をひねり包装して最終包装状態の包装製品Ｐとするひねり装置とからなり、ひねり装置の相対する２つの腕部４ａが、フィルム送り方向ｃに対して直列（Ｘ軸方向）に配置され、フィルム片Ｆ２の辺（ロール切断辺Ｆｂ）を把持してひねる機構であるひねり包装機。【選択図】図６
2020063085.tif 000002
【特許請求の範囲】
【請求項１】
長尺フィルムＦ１を切断してフィルム片Ｆ２を作製し、前記フィルム片Ｆ２で被包装物Ｍをはさみ、前記フィルム片Ｆ２の開放部をひねり装置４の相対する２つの腕部４ａでつかんでひねることにより被包装物Ｍを包装するひねり包装機であって、
前記ひねり包装機は、被包装物Ｍを一つずつ一定姿勢にかつ一定間隔に整列・区分する区分装置１と、長尺フィルムＦ１を供給する給紙装置６と、給紙装置６から給紙された長尺フィルムＦ１を所定サイズのフィルム片Ｆ２にカットするロータリーカッター７と、区分装置１から間欠的に被包装物Ｍを取り出すと共に前記フィルム片Ｆ２を被包装物Ｍに添わせた状態で保持する移送装置２と、前記移送装置２から受け取った被包装物Ｍを前記フィルム片Ｆ２と挟持させる挟持装置３と、挟持装置３によって被包装物Ｍと共に保持された前記フィルム片Ｆ２の開放端部を内側に折りたたむ折り込み装置５と、前記挟持装置３で挟持した状態で前記フィルム片Ｆ２をひねり包装して最終包装状態の包装製品Ｐとする為のひねり装置４とからなり、
前記ひねり装置４の相対する２つの腕部４ａが、フィルム送り方向ｃ（Ｘ軸方向）に対して直列（Ｘ軸方向）に配置され、
前記ひねり装置の相対する２つの腕部４ａが、前記フィルム片Ｆ２の長尺フィルムＦ１をカッターで切断した辺（ロール切断辺Ｆｂ）を把持してひねる機構であるひねり包装機。
【請求項２】
請求項１記載の長尺フィルムが、長尺方向に引っ張られた長尺の一軸延伸フィルムである請求項１記載のひねり包装機。
【請求項３】
長尺フィルムＦ１を切断してフィルム片Ｆ２を作製し、前記フィルム片Ｆ２で被包装物Ｍをはさみ、前記フィルム片Ｆ２の開放部をひねり装置４の相対する２つの腕部４ａでつかんでひねることにより被包装物Ｍを包装するひねり包装機の包装方法であって、
前記ひねり包装機は、被包装物Ｍを一つずつ一定姿勢にかつ一定間隔に整列・区分する区分装置１と、長尺フィルムＦ１を供給する給紙装置６と、給紙装置６から給紙された長尺フィルムＦ１を所定サイズのフィルム片Ｆ２にカットするロータリーカッター７と、区分装置１から間欠的に被包装物Ｍを取り出すと共に前記フィルム片Ｆ２を被包装物Ｍに添わせた状態で保持する移送装置２と、前記移送装置２から受け取った被包装物Ｍを前記フィルム片Ｆ２と挟持させる挟持装置３と、挟持装置３によって被包装物Ｍと共に保持された前記フィルム片Ｆ２の開放端部を内側に折りたたむ折り込み装置５と、前記挟持装置３で挟持した状態で前記フィルム片Ｆ２をひねり包装して最終包装状態の包装製品Ｐとする為のひねり装置４とからなり、
前記ひねり装置４の相対する腕部４ａがフィルム送り方向ｃ（Ｘ軸方向）に対して直列（Ｘ軸方向）に配置されることで、
前記ひねり装置４の相対する２つの腕部４ａのうちの一方の腕部４ａがフィルム送り方向（Ｘ軸方向）に対して進行方向側のフィルム片Ｆ２の前記長尺フィルムＦ１をカッターで切断した辺（ロール切断辺Ｆｂ）の一方の辺を把持し、
他方の腕部４ａが進行方向とは反対側の前記長尺フィルムＦ１をカッターで切断した辺（ロール切断辺Ｆｂ）の他方の辺を把持して、
双方の腕部４ａが把持した前記フィルム片Ｆ２をひねる工程を含むひねり包装機の包装方法。
【請求項４】
請求項３記載の長尺フィルムが、長尺方向に引っ張られた長尺の一軸延伸フィルムである請求項３記載のひねり包装機の包装方法。
【発明の詳細な説明】
【技術分野】
【０００１】
本発明は、菓子などの被包装物を一軸延伸フィルムで覆って当該フィルムの両端をひねって包装する一軸延伸フィルム用のひねり包装機及びひねり包装機の包装方法に関する。
【背景技術】
【０００２】
お菓子などの被包装物にフィルムを被せて当該フィルムの開放部をひねり閉じて包装をする機械は、ひねり包装機として広く知られている。ひねり包装機は、一般的にロール状に巻かれる長尺フィルムをカッターなどで切断し、切断したフィルム片で被包装物をはさみ、フィルム片の両端をひねり装置の腕でつかんでひねることにより被包装物を包装する装置である。このひねり包装機には、長尺フィルムのロール幅を構成した辺（以下、「ロール幅辺」という（図中のＦａ）。）を把持してひねるひねり包装機（以下、「ロール幅辺把持ひねり包装機」という。）と、長尺フィルムを切断したフィルム片の切断面の辺（以下、「ロール切断辺」という（図中のＦｂ）。）を把持してひねるひねり包装機（以下、「ロール切断辺把持ひねり包装機」）の２種類がある。
【０００３】
特許文献１はロール幅辺把持ひねり包装機の従来例である。ロール幅辺把持ひねり包装機は、図２〜５に示すように、菓子片等の被包装物Ｍを一つずつ一定姿勢にかつ一定間隔に整列・区分する区分装置１ と、長尺フィルムＦ１を供給する給紙装置６と、給紙装置６から給紙された長尺フィルムを所定サイズのフィルム片Ｆ２にカットするロータリーカッター７と、区分装置１から間欠的に被包装物Ｍを取り出すと共に前記フィルム片Ｆ２を被包装物Ｍに添わせた状態で保持する移送装置２と、前記移送装置２によって保持孔１６内から受け取った被包装物Ｍを前記フィルム片Ｆ２と挟持させる挟持装置３と、挟持装置３によって被包装物Ｍと共に保持された包装紙の開放端部を内側に折りたたむ折り込み装置５と、前記挟持装置３で挟持した状態で前記フィルム片Ｆ２をひねり包装して最終包装状態の包装製品Ｐとする為のひねり装置４とからなる。
【０００４】
図２〜５の従来のロール幅辺把持ひねり包装機は、図５に示す手順でひねり包装が行われる。区分装置１において、回転円盤１１の間欠回転動作により被包装物Ｍが一つずつ保持孔１６内に嵌入保持される。挟持装置３に対向する位置にある保持孔１６内の被包装物Ｍ を下方から（移送装置２の）押出し杆２１の頭部２１ａが押し上げると同時に、当該被包装物Ｍの上面に、給紙装置６によって供給された長尺フィルムＦ１をロータリーカッター７にて所定サイズにカットしたフィルム片Ｆ２にて添接し、更に、この被包装物Ｍの上方から押圧杆２２の押圧部材２２ａが対向して、被包装物Ｍが頭部２１ａと押圧部材２２ａとに挟圧された状態となり、この状態で被包装物Ｍ が上昇移送される。この後、被包装物Ｍ及びフィルム片Ｆ２は、挟持装置３に挟持されると共に、フィルム片Ｆ２が中心に折りたたまれる（折り曲げ方向ｄ）ことでフィルム片Ｆ２に挟まれ、被包装物Ｍはフィルム片Ｆ２により断面形状がＵ字状に半包装される。更に、被包装物Ｍ及びフィルム片Ｆ２が前記頭部２１ａ及び押圧部材２２ａから離脱した後、被包装物Ｍ及びフィルム片Ｆ２は、挟持装置３の回動に伴って折り込み装置５に運ばれ、折り込み装置５で被包装物ＭにＵ字状に包囲させたフィルム片Ｆ２の開放部の両側を内側に折りたたむ。フィルム片Ｆ２が折りたたまれ仮包装された被包装物Ｍ及びフィルム片Ｆ２は、ひねり装置４に運ばれ、フィルムの送り方向ｃに対して側面の両端部から把持されてフィルムがひねられ最終包装状態となる。
【０００５】
ロール幅辺把持ひねり包装機の特徴は、給紙装置６からひねり装置４までが長尺フィルムの送り方向に対して平行（図２〜５中に図示のＸ（Ｘ軸方向））に被包装物及びフィルムが移送される点である。よってひねり装置４においては、フィルムの送り方向ｃに対して側面の両端部、すなわち前記ロール幅辺Ｆａが把持されフィルムがひねられる。この際、当該包装フィルムが長尺方向に対して平行に引っ張られた一軸延伸フィルムであった場合には、図１のＡ図のように一軸延伸フィルムの延伸方向と平行にひねられるため、延伸方向に切れ目が発生し、破れが発生する。
【０００６】
一方、特許文献２のひねり包装機はロール切断辺把持ひねり包装機の従来例である。特許文献２のロール切断辺把持ひねり包装機のひねり機構は、長尺のフィルムシート（連続シート）及び被包装物が挟持されたまま切断位置まで搬送され、被包装物の外周に筒状に巻き付いた連続シートが、前記切断位置の下流側にてカッタで切断され、これにより、被包装物の外周に包装シートが筒状に巻き付いた半包装品ができ、次に、キャッチャが上下に９０度回転して起立位置に到達し、更に、ひねり位置まで移動すると、半包装品の包装シートの上下端部が回転摘み具の摘み片で扁平に摘まれ、その後、回転摘み具を具備する回転軸が回転し、これにより、包装シートの上下端部がひねられる。
【０００７】
特許文献２のロール切断辺把持ひねり包装機は、長尺フィルムが切断されキャッチャによって保持された包装シート及び被包装物が上下に９０度回転した後に、フィルム片のロール切断辺Ｆｂが回転摘み具に把持されて回転摘み具がひねる工程を行うため、図１のＢ図のように一軸延伸フィルムの延伸方向と垂直に、すなわちロール切断辺を把持してひねられるため、延伸方向に切れ目が発生しない。しかし、一方でこのタイプのロール切断辺把持ひねり包装機は、長尺フィルムを流しながら被包装物をフィルムシートに巻き付かせ、被包装物を挟んだ長尺フィルムをカットして、半包装品をキャッチャでつかみ、さらに一旦回転させてから回転摘み具でつかんでひねるという複雑な工程を経るため、ライン長が長くなり機械が巨大化するという問題があった。
【０００８】
【特許文献１】特開平７−１０１４１７号公報
【特許文献２】特開２００８−１３７７１６号公報
【発明の概要】
【発明が解決しようとする課題】
【０００９】
本発明の目的は、従来のロール幅辺把持ひねり包装機のひねり機構を維持したまま、フィルム片を９０°に回転させずに、長尺フィルムを切断したフィルム片の切断面の辺（ロール切断辺Ｆｂ）を把持してひねるひねり包装機を提供し、長尺方向に延伸された一軸延伸フィルムのひねりによる破損を防止することである。
【課題を解決するための手段】
【００１０】
本発明者は、従来のロール幅辺把持ひねり包装機の、ひねり装置４の一対のひねり機構部（腕部）４ａをフィルム送り方向ｃ（Ｘ軸方向）に対して直列に（Ｘ軸方向）に配置してひねり包装を行うことで、長尺方向に延伸された一軸延伸フィルムのひねりによる破損を防止できることを見いだした。
【００１１】
請求項１記載の発明は、
長尺フィルムＦ１を切断してフィルム片Ｆ２を作製し、前記フィルム片Ｆ２で被包装物Ｍをはさみ、前記フィルム片Ｆ２の開放部をひねり装置４の相対する２つの腕部４ａでつかんでひねることにより被包装物Ｍを包装するひねり包装機であって、
前記ひねり包装機は、被包装物Ｍを一つずつ一定姿勢にかつ一定間隔に整列・区分する区分装置１と、長尺フィルムＦ１を供給する給紙装置６と、給紙装置６から給紙された長尺フィルムＦ１を所定サイズのフィルム片Ｆ２にカットするロータリーカッター７と、区分装置１から間欠的に被包装物Ｍを取り出すと共に前記フィルム片Ｆ２を被包装物Ｍに添わせた状態で保持する移送装置２と、前記移送装置２から受け取った被包装物Ｍを前記フィルム片Ｆ２と挟持させる挟持装置３と、挟持装置３によって被包装物Ｍと共に保持された前記フィルム片Ｆ２の開放端部を内側に折りたたむ折り込み装置５と、前記挟持装置３で挟持した状態で前記フィルム片Ｆ２をひねり包装して最終包装状態の包装製品Ｐとする為のひねり装置４とからなり、
前記ひねり装置４の相対する２つの腕部４ａが、フィルム送り方向ｃ（Ｘ軸方向）に対して直列（Ｘ軸方向）に配置され、
前記ひねり装置の相対する２つの腕部４ａが、前記フィルム片Ｆ２の長尺フィルムＦ１をカッターで切断した辺（ロール切断辺Ｆｂ）を把持してひねる機構であるひねり包装機である。
【００１２】
請求項２記載の発明は、
請求項１記載の長尺フィルムが、長尺方向に引っ張られた長尺の一軸延伸フィルムである請求項１記載のひねり包装機である。
【００１３】
請求項３記載の発明は、
長尺フィルムＦ１を切断してフィルム片Ｆ２を作製し、前記フィルム片Ｆ２で被包装物Ｍをはさみ、前記フィルム片Ｆ２の開放部をひねり装置４の相対する２つの腕部４ａでつかんでひねることにより被包装物Ｍを包装するひねり包装機の包装方法であって、
前記ひねり包装機は、被包装物Ｍを一つずつ一定姿勢にかつ一定間隔に整列・区分する区分装置１と、長尺フィルムＦ１を供給する給紙装置６と、給紙装置６から給紙された長尺フィルムＦ１を所定サイズのフィルム片Ｆ２にカットするロータリーカッター７と、区分装置１から間欠的に被包装物Ｍを取り出すと共に前記フィルム片Ｆ２を被包装物Ｍに添わせた状態で保持する移送装置２と、前記移送装置２から受け取った被包装物Ｍを前記フィルム片Ｆ２と挟持させる挟持装置３と、挟持装置３によって被包装物Ｍと共に保持された前記フィルム片Ｆ２の開放端部を内側に折りたたむ折り込み装置５と、前記挟持装置３で挟持した状態で前記フィルム片Ｆ２をひねり包装して最終包装状態の包装製品Ｐとする為のひねり装置４とからなり、
前記ひねり装置４の相対する腕部４ａがフィルム送り方向ｃ（Ｘ軸方向）に対して直列（Ｘ軸方向）に配置されることで、
前記ひねり装置４の相対する２つの腕部４ａのうちの一方の腕部４ａがフィルム送り方向（Ｘ軸方向）に対して進行方向側のフィルム片Ｆ２の前記長尺フィルムＦ１をカッターで切断した辺（ロール切断辺Ｆｂ）の一方の辺を把持し、
他方の腕部４ａが進行方向とは反対側の前記長尺フィルムＦ１をカッターで切断した辺（ロール切断辺Ｆｂ）の他方の辺を把持して、
双方の腕部４ａが把持した前記フィルム片Ｆ２をひねる工程を含むひねり包装機の包装方法である。
【００１４】
請求項３記載の発明は、
請求項３記載の長尺フィルムが、長尺方向に引っ張られた長尺の一軸延伸フィルムである請求項３記載のひねり包装機の包装方法である。
【００１５】
従来のロール幅辺把持ひねり包装機は、ひねり装置の相対する２つの腕部がフィルム送り方向ｃ（Ｘ軸方向）に対して並列（Y軸方向）に配置されていた。このため、長尺方向に対して平行に引っ張られた一軸延伸フィルムを用いてひねり包装を実施する場合に、フィルム片の送り方向ｃ（Ｘ軸方向）に長尺フィルムをフィードすると一軸延伸フィルムの延伸方向と平行にひねることになり、延伸方向と平行にフィルムが裂ける危険性がある。それに対して本願発明のひねり包装機は、ひねり装置の相対する２つの腕部がフィルム送り方向（Ｘ軸方向）に対して直列（Ｘ軸方向）に配置されている。その結果、本願発明のひねり包装機では、一方の腕部はフィルム片Ｆ２のフィルム送り方向ｃ（Ｘ軸方向）に対して進行方向側の前記長尺の一軸延伸フィルムをカッターで切断した辺（ロール切断辺）を把持し、もう一方の腕部が進行方向とは反対側のフィルム片Ｆ２の長尺の一軸延伸フィルムをカッターで切断した辺（ロール切断辺）を把持して、ひねり包装を行う。すなわち、一組のひねり機構部（腕部）がフィルム片Ｆ２の長尺フィルムＦ１をロータリーカッター７でカットした辺（ロール切断辺Ｆｂ）を把持しひねりを実施するため、延伸方向に対して垂直に力がかかりフィルムが裂けることがない。
【発明の効果】
【００１６】
本発明によりひねり装置の相対する２つの腕部がフィルム送り方向（Ｘ軸方向）に対して直列（Ｘ軸方向）に配置されているひねり包装機においてひねり包装を行うと、フィルム片Ｆ２の長尺フィルムＦ１をロータリーカッター７でカットした辺（ロール切断辺Ｆｂ）を把持しひねりを実施するため、延伸方向に対して垂直に力がかかり、長尺方向に延伸された一軸延伸フィルムのひねりによる破損を防止することができる。
【図面の簡単な説明】
【００１７】
【図１】本発明に使用する一軸延伸フィルムの概念斜視図である。
【図２】従来のロール幅辺把持ひねり包装機の斜視図である。
【図３】従来のロール幅辺把持ひねり包装機の要部の拡大斜視図である。
【図４】従来のロール幅辺把持ひねり包装機の移送装置の拡大斜視図である。
【図５】従来のロール幅辺把持ひねり包装機の動作メカニズムを概念的に図示した斜視図である。
【図６】本発明のロール切断辺把持ひねり包装機の動作メカニズムを概念的に図示した斜視図である。
【発明を実施するための形態】
【００１８】
以下、本発明の実施形態について、図面を用いて説明する。なお、すべての図面において、同様の構成要素には同一の符号を付し、適宜に説明を省略する。また、本実施形態は、本発明を実施するための一形態に過ぎず、本発明は本実施形態によって限定されるものではなく、本発明の要旨を逸脱しない範囲で種々の変更実施の形態が可能である。
【００１９】
〔第１の実施形態〕
本発明は、ひねり装置の相対する２つの腕部がフィルム送り方向（Ｘ軸方向）に対して直列（Ｘ軸方向）に配置されているひねり包装機においてひねり包装を行うと、フィルム片Ｆ２の長尺フィルムＦ１をロータリーカッター７でカットした辺（ロール切断辺Ｆｂ）を把持しひねりを実施するため、長尺方向に延伸された一軸延伸フィルムのひねりによる破損を防止することができる旨を発明の要旨としているが、このような事例はこれまで知られていない。
【００２０】
すなわち本発明は、
長尺フィルムＦ１を切断してフィルム片Ｆ２を作製し、前記フィルム片Ｆ２で被包装物Ｍをはさみ、前記フィルム片Ｆ２の開放部をひねり装置４の相対する２つの腕部４ａでつかんでひねることにより被包装物Ｍを包装するひねり包装機であって、
前記ひねり包装機は、被包装物Ｍを一つずつ一定姿勢にかつ一定間隔に整列・区分する区分装置１と、長尺フィルムＦ１を供給する給紙装置６と、給紙装置６から給紙された長尺フィルムＦ１を所定サイズのフィルム片Ｆ２にカットするロータリーカッター７と、区分装置１から間欠的に被包装物Ｍを取り出すと共に前記フィルム片Ｆ２を被包装物Ｍに添わせた状態で保持する移送装置２と、前記移送装置２から受け取った被包装物Ｍを前記フィルム片Ｆ２と挟持させる挟持装置３と、挟持装置３によって被包装物Ｍと共に保持された前記フィルム片Ｆ２の開放端部を内側に折りたたむ折り込み装置５と、前記挟持装置３で挟持した状態で前記フィルム片Ｆ２をひねり包装して最終包装状態の包装製品Ｐとする為のひねり装置４とからなり、
前記ひねり装置４の相対する２つの腕部４ａが、フィルム送り方向ｃ（Ｘ軸方向）に対して直列（Ｘ軸方向）に配置され、
前記ひねり装置の相対する２つの腕部４ａが、前記フィルム片Ｆ２の長尺フィルムＦ１をカッターで切断した辺（ロール切断辺Ｆｂ）を把持してひねる機構であるひねり包装機である。
【００２１】
本発明に使用する一軸延伸フィルムを説明する。
図１は、本発明に使用する一軸延伸フィルムの概念斜視図である。フィルムはその製造工程において一定方向に引っ張り伸ばし加工を行うと、当該方向の引っ張り力に対して非常に強いフィルムができる。フィルムは溶かした樹脂材料をフラットに押し出し、冷却することによって成形されるが、押し出し成形された直後のフィルムはプラスチックの長い分子が絡み合っている。このフィルムを一定方向へ引き伸ばすことで、プラスチックの長い分子がまっすぐ伸びて引っ張り方向に平行に整列する。このように押し出し成形時に一方向に延伸処理を行ったフィルムを一軸延伸フィルムと称している。一軸延伸フィルムはフィルム成形時の押し出し方向と順方向に延伸されることが一般的であり、このようなフィルムでは押し出し方向、すなわちフィルムの長尺方向に高分子鎖が配向している。
【００２２】
一軸延伸フィルムは、高分子の配向方向に対して垂直方向からの力に対しては強く、一方で分子の配向方向に対して平行な方向に対する力には弱いという性質がある。すなわち、図１のＢ図のようにフィルムの延伸方向ａに対して垂直に力がかかるようにひねる（ｂ１）（ｂ２）場合には十分な強度があるが、図１のＡ図のようにフィルムの延伸方向に対して平行にひねる（ｂ１）（ｂ２）場合には延伸方向と平行な方向にフィルムが裂ける恐れがある。
【００２３】
図２〜４は、特許文献１記載の従来の一般的なロール幅辺把持ひねり包装機の構造を説明した斜視図である。また図５は、従来の横ひねり包装機の動作メカニズムを概念的に図示した斜視図である。
【００２４】
従来のロール幅辺把持ひねり包装機は、図２〜５に示すように、
菓子片等の被包装物Ｍを一つずつ一定姿勢にかつ一定間隔に整列・区分する区分装置１ と、
長尺フィルムＦ１を供給する給紙装置６と、
給紙装置６から給紙された長尺フィルムを所定サイズのフィルム片Ｆ２にカットするロータリーカッター７と、
区分装置１から間欠的に被包装物Ｍを取り出すと共に前記フィルム片Ｆ２を被包装物Ｍに添わせた状態で保持する移送装置２と、
前記移送装置２によって保持孔１６内から受け取った被包装物Ｍを前記フィルム片Ｆ２と挟持させる挟持装置３と、
挟持装置３によって被包装物Ｍと共に保持された包装紙の開放端部を内側に折りたたむ折り込み装置５と、
前記挟持装置３で挟持した状態で前記フィルム片Ｆ２をひねり包装して最終包装状態の包装製品Ｐとする為のひねり装置４ とからなる。
【００２５】
前記区分装置１は、間欠的に自転する回転円盤１１を環状枠１２により包囲した構成となっており、この回転円盤１１の周縁部に円周方向に一定間隔で配設した保持孔１６に被包装物Ｍを嵌入保持し、各保持孔１６から前記回転円盤１１の周縁に達するスリットを後述の押出し杆２１の支持杆部の通路としている。
【００２６】
前記給紙装置６は区分装置１の上部に位置し、リールに巻かれた長尺フィルムＦ１を移送装置２上に供給する。供給された長尺フィルムＦ１は後述のロータリーカッター７にてカットされ、フィルム片Ｆ２となる。給紙装置６による長尺フィルムＦ１の送り方向と平行に、移送装置２よりも下流の各装置は配置されている。
【００２７】
前記ロータリーカッター７は、区分装置１と移送装置２の間に位置し、給紙装置６から供給される長尺フィルムＦ１をカットし、フィルム片Ｆ２を作成する役目を負う。
【００２８】
前記移送装置２は、保持孔１６に適合する頭部２１ａを具備した押出し杆２１と、この押出し杆２１に上方から対向する押圧部材２２ａを先端に具備する押圧杆２２とから構成され、これら押出し杆２１と押圧杆２２とを支持する各別のリンク機構によって、頭部２１ａは、保持孔１６の下方からこの保持孔１６内を直線上昇するように設定され、この直線上昇区間の上部では前記押圧部材２２ａが同期移動するように設定されている。
【００２９】
前記挟持装置３は、回転円盤１１の周縁部の上方近傍に配設され且つ所定のループ状軌跡となるように設定されている。
【００３０】
前記折り込み装置５は、挟持装置３の移動軌跡の最下点近傍にこの移動軌跡に沿って配設された案内板５１と、これに対向する位置にて所定タイミングで揺動する揺動爪５２とから構成されている。
【００３１】
前記ひねり装置４は、これら挟持装置３の周回軌跡の両側に各挟持装置３に対応させて一対のひねり機構部（腕部）４ａからなる。
【００３２】
次に図２〜４及び図５を用いて、従来のロール幅辺把持ひねり包装機の動作メカニズムを概念的に説明する。
【００３３】
区分装置１において、回転円盤１１の間欠回転動作により被包装物Ｍが一つずつ保持孔１６内に嵌入保持される。
挟持装置３に対向する位置にある保持孔１６内の被包装物Ｍ を下方から（移送装置２の）押出し杆２１の頭部２１ａが押し上げると同時に、当該被包装物Ｍの上面に、給紙装置６によって供給された長尺フィルムＦ１をロータリーカッター７にて所定サイズにカットしたフィルム片Ｆ２にて添接し、更に、この被包装物Ｍの上方から押圧杆２２の押圧部材２２ａが対向して、被包装物Ｍが頭部２１ａと押圧部材２２ａとに挟圧された状態となり、この状態で被包装物Ｍ が上昇移送される。
【００３４】
この後、被包装物Ｍ及びフィルム片Ｆ２は、挟持装置３に挟持されると共に、フィルム片Ｆ２が中心に折りたたまれる（折り曲げ方向ｄ）ことでフィルム片Ｆ２に挟まれ、被包装物Ｍはフィルム片Ｆ２により断面形状がＵ字状に半包装される。更に、被包装物Ｍ及びフィルム片Ｆ２が前記頭部２１ａ及び押圧部材２２ａから離脱した後、被包装物Ｍ及びフィルム片Ｆ２は、挟持装置３の回動に伴って折り込み装置５に運ばれ、折り込み装置５で被包装物ＭにＵ字状に包囲させたフィルム片Ｆ２の開放部の両側を内側に折りたたむ。フィルム片Ｆ２が折りたたまれ仮包装された被包装物Ｍ及びフィルム片Ｆ２は、ひねり装置４に運ばれ、フィルムの送り方向ｃに対して側面の両端部から把持されてフィルムがひねられ最終包装状態となる。
【００３５】
なお、被包装物Ｍはフィルム片Ｆ２に添接される工程に於いて、図２〜図６では、被包装物Ｍの下にフィルム片Ｆ２が位置するように見えるように図示されているが、これは説明のための便宜上であり、実際には被包装物Ｍの上にフィルム片Ｆ２が添接して位置する構成となっている。
【００３６】
このひねり行程の際、当該包装フィルムが長尺方向に引っ張られた一軸延伸フィルムであった場合には、図１のＡ図のように一軸延伸フィルムの延伸方向ａと平行にひねられる（ｂ１、ｂ２）ため、延伸方向に切れ目が発生し、破れが発生する。
【００３７】
従来のロール幅辺把持ひねり包装機は、給紙装置６、移送装置２、挟持装置３及びひねり装置４が長尺フィルムＦ１の流れる方向（Ｘ軸方向）に平行に配置され、ひねり装置４のひねり機構部（腕部）４ａがフィルム片Ｆ２の長尺フィルムＦ１の両側面部（ロール幅辺Ｆａ）を把持してフィルム片Ｆ２をひねる（図１のＡ図）。結果、ロール幅辺把持ひねり包装機においては、長尺方向に延伸された一軸延伸フィルムの延伸方向と平行にひねることになるため、フィルムの破れが発生しやすくなる。そこで、ひねり装置４において、ひねり機構部（腕部）４ａがフィルム片Ｆ２の長尺フィルムの両側面部（ロール幅辺Ｆａ）を把持しないような構成（図１のＢ図）にする必要がある。
【００３８】
図６は、本発明のひねり機のひねり方法を図示した概念図である。図５の従来のひねり方法との相違点は、従来のロール幅辺把持ひねり包装機のひねり装置４のひねり機構部（腕部）４ａがフィルム送り方向ｃ（Ｘ軸方向）に対して側面に並列（Y軸方向）に配置されているのに対し、本発明のロール切断辺把持ひねり機のひねり装置４の一対のひねり機構部（腕部）４ａがフィルム送り方向ｃ（Ｘ軸方向）に対して直列に（Ｘ軸方向）に配置されている点である。
【００３９】
その結果、本発明のロール切断辺把持ひねり機では、一方の腕部はフィルム送り方向ｃ（Ｘ軸方向）に対して進行方向側のフィルム片Ｆ２の長尺の一軸延伸フィルムをカッターで切断した辺（ロール切断辺）を把持し、もう一方の腕部が進行方向とは反対側のフィルム片Ｆ２の長尺の一軸延伸フィルムをカッターで切断した辺（ロール切断辺）を把持して、ひねり包装を行う。すなわち、一組のひねり機構部（腕部）がフィルム片Ｆ２の長尺フィルムＦ１をロータリーカッター７でカットした辺（ロール切断辺Ｆｂ）を把持しひねりを実施するため、延伸方向に対して垂直に力がかかりフィルムが裂けることがない。
【００４０】
本願発明のひねり装置４の一対のひねり機構部（腕部）４ａがフィルム送り方向ｃ（Ｘ軸方向）に対して直列（Ｘ軸方向）に配置されているロール切断辺把持ひねり機を用いれば、特許文献２のような前記下流側ラインの途中でフィルム片Ｆ２を回転させる回転機構を設置することなく、ひねり機構部（腕部）４ａがフィルム片Ｆ２の長尺フィルムＦ１をロータリーカッター７でカットした辺（ロール切断辺Ｆｂ）を把持することができる。前記下流側ラインの途中でフィルム片Ｆ２を回転させる回転機構を設置すると、回転機構部がラインスピードを上げる際のボトルネックとなり、効率的な生産の妨げとなる。よって、前記下流側ラインにフィルムの回転機構部を有しない本発明の長尺フィルムのフィード方法は回転機構を有するひねり包装機よりも優位性がある。
【産業上の利用可能性】
【００４１】
本発明のひねり装置４の一対のひねり機構部（腕部）４ａがフィルム送り方向ｃ（Ｘ軸方向）に対して直列に（Ｘ軸方向）に配置されているロール切断辺把持ひねり機を用いることで、長尺方向に対して平行に引っ張られた一軸延伸フィルムを用いてひねり包装を実施する場合にフィルムの裂けを防止することができる。
【符号の説明】
【００４２】
１    区分装置
１１    回転円盤
１２    環状枠
１６    保持孔
２    移送装置
２１    押出杆
２１ａ    頭部
２１ｂ    支持杆部
２２    押圧杆
２２ａ    押圧部材
３    挟持装置
４    ひねり装置
４ａ    ひねり機構部（腕部）
５    折り込み装置
５１    案内板
５２    揺動爪
６    給紙装置
７    ロータリーカッター
Ｆ    フィルム
Ｆ１    長尺フィルム
Ｆ２    フィルム片
Ｆａ    ロール幅辺
Ｆｂ    ロール切断辺
M    被包装物
Ｐ    包装製品
Ｘ    Ｘ軸方向
Ｙ    Ｙ軸方向
ａ    延伸方向
ｂ    ひねり方向
ｂ１    ひねり方向（順方向）
ｂ２    ひねり方向（逆方向）
ｃ    フィルム送り方向
ｄ    折り曲げ方向
【図１】
2020063085.tif 000003
【図２】
2020063085.tif 000004
【図３】
2020063085.tif 000005
【図４】
2020063085.tif 000006
【図５】
2020063085.tif 000007
【図６】
2020063085.tif 000008